(57)【特許請求の範囲】
【請求項１】
反射面および背面を有する反射体本体、反射体本体の端部に形成されてなり枠の一辺を構成し得る枠部分および枠部分に対向するとともに反射体本体の背面側に形成される空気流通用スリット部を有する反射体；
前記反射体の枠部分とともに枠を構成する枠部分および枠部分に対向して構成される空気流通用スリット部を有し、反射体側部方向に配設された一対の端板を含んで構成される器具本体と；
反射体に光学的に対向して配設されるランプと；
ランプを点灯する点灯装置と；
を具備していることを特徴とする照明器具。
【請求項２】
点灯装置を収容する放熱スリットを備えたケーシングを、その放熱スリットに、空気流通用スリット部を通る空気が通風するように配設していることを特徴とする請求項１記載の照明器具。
【請求項３】
器具本体は、その天井側に、空調設備の吹出ダクトを取付けるための取付手段を備えていることを特徴とする請求項１または２に記載の照明器具。
【請求項４】
ランプが着脱自在に装着されて電気的に接続されるランプソケットを予め点灯装置に電気的に接続している配線を、その配線方向を案内する一方器具本体に取付けられるガイド板に予め固定してなるランプソケットモジュール板を具備していることを特徴とする請求項１ないし３のいずれか一に記載の照明器具。
【請求項５】
ランプを軸方向と径方向とで覆い、その軸方向に沿う幅方向両端部を、ランプに近接して最も高輝度となる反射面の高輝度部と、ランプからの光が照射される器具本体の開口枠の隅を結ぶ線と水平線とでなす角度を越える位置まで延在させる大きさに形成されている制光体を具備していることを特徴とする請求項１ないし４のいずれか一に記載の照明器具。
【請求項６】
制光体は、その幅方向一端部における軸方向両側端に、一対の端板の対向面にそれぞれ突設された係止ピンにそれぞれ揺動自在かつ着脱自在に係合する係合凹部を形成する一方、幅方向他端部における軸方向両側端に、一対の端板の対向面にそれぞれ形成された係合凹部に出入自在に挿入されるスピンドルおよびこのスピンドルの出入位置を係脱自在に保持するホルダーを備えたラッチ機構をそれぞれ設けていることを特徴とする請求項５記載の照明器具。
【請求項７】
天井側に配設されて頭部とこの頭部よりも細い首部とを備えた器具取付部材に係脱自在に係止される係止金具を具備し、この係止金具は、器具本体の側壁外面に固着されて器具取付部材の頭部を出入自在に挿入させる挿入部を有し、この挿入部は、器具取付部材の頭部を出入させる開口端部と、この挿入部内に挿入された器具取付部材の頭部頂面に当接して照明器具の荷重を器具取付部材に負荷させる当接部と、器具本体の側壁外面と対向する上記器具取付部材の内側面と反対側の外側面を覆う側面部と、挿入部の開口端部にて器具取付部材の首部側へ湾出するように器具本体の外側壁に突設された円弧状突部と対向する位置にて、挿入部内方へ折曲されてこの開口端部を狭くする折曲端部と、を備えていることを特徴とする請求項１ないし６のいずれか一に記載の照明器具。
【請求項８】
天井側に配設される器具取付部材と；
反射面および背面を有する反射体本体、反射体本体の端部に形成されてなり枠の−辺を構成し得る枠部分および枠部分に対向するとともに反射体本体の背面側に形成される空気流通用スリット部を有し、前記スリット部が下方側から見えにくくなるように前記枠部分が前記器具取付部材に対向されてなる反射体；
前記反射体の枠部分とともに枠を構成する枠部分および枠部分に対向して構成される空気流通用スリット部を有し、反射体側部方向に配設された一対の端板を有してなり、前記スリット部が下方側から見えにくくなるように前記枠部分が前記器具取付部材に載置されてなる器具本体と；
反射体に光学的に対向して配設されるランプと；
天井側に配設され、ランプを点灯する点灯装置と；
を具備していることを特徴とするシステム天井。
【発明の詳細な説明】
【０００１】
【発明の属する技術分野】
本発明は、天井に張設される天井板に、照明器具や空調設備の吹出口または吸込口等を埋設するシステム天井およびこのシステム天井に配設される照明器具に関する。
【０００２】
【従来の技術】
一般に、システム天井は、天井下地である天井スラブに吊りボルト等により吊設された断面形状がほぼＴ形の複数のＴバーを格子状や平行等に組み付け、これらＴバーにより格子状や平行に囲まれた空間に、天井板と共に照明器具や空調設備の吹出口、吸込口等を配置して、これらの外縁部をＴバーの外縁部上に落とし込み固定してこれら照明器具や空調設備等を天井板とほぼ面一に埋設して外観上の美観の向上等を図っている。
【０００３】
この種のシステム天井に取付けられる従来の照明器具としては、例えば特許第２５９４１６０号の特許公報や意匠登録第９２７３８７号の類似１、同類似３の意匠公報に掲載されたものがある。
【０００４】
【発明が解決しようとする課題】
しかしながら、これら従来の照明器具では、反射体を収容する器具本体が有蓋角筒状であり、一対の端板と、これら一対の端板の両端部どうしを連結する一対の側板と、これら一対の端板と一対の側板とにより形成される矩形枠の開口両端の一端を閉じる蓋部と、を備えているので、照明器具本体の大型重量化とコストアップを招くという課題がある。
【０００５】
また、システム天井の場合は、天井スラブに吊設した吊りボルトにさらに複数のＴバーを吊設して格子状等に組み付けてから、これらＴバー上に照明器具を載置固定するので、吊りボルトに直接照明器具を取付ける場合に比して、Ｔバーの重量分だけ吊りボルトの荷重負荷が増大するために照明器具の軽量化が要請されている。
【０００６】
さらに、上記意匠登録第９２７３８７号の類似３では空調用吹出口を器具本体に形成しているが、この空調用吹出口とこの吹出口の天井裏側開口とがほぼ直状に連通しているので、この空調用吹出口を下から見上げたときに、天井裏の暗い空間の一部が見えてしまい、美観を低下させるという課題がある。
【０００７】
本発明はこのような事情を考慮してなされたもので、その目的は、器具本体の小型軽量化を図ることができるうえに、空気流通用開口から天井裏スペースが見えにくくすることができる照明器具を提供することにある。
【０００８】
【課題を解決するための手段】
請求項１の発明は、反射面および背面を有する反射体本体、反射体本体の端部に形成されてなり枠の一辺を構成し得る枠部分および枠部分に対向するとともに反射体本体の背面側に形成される空気流通用スリット部を有する反射体；前記反射体の枠部分とともに枠を構成する枠部分および枠部分に対向して構成される空気流通用スリット部を有し、反射体側部方向に配設された一対の端板を含んで構成される器具本体と；反射体に光学的に対向して配設されるランプと；ランプを点灯する点灯装置と；を具備していることを特徴とする照明器具である。
【０００９】
この発明によれば、照明器具の枠を、器具本体の枠部分と反射体の枠部分とにより形成し、反射体の一部を器具本体の枠の一部として兼用するので、その分器具本体の部品点数を削減することができる。このために、照明器具の小型軽量化を図ることができる。また、反射体の枠部分と器具本体の枠部分の背面側に空気流通用スリット部を形成しているので、照明器具を下方から見上げたときに、空気流通用スリット部を器具本体側と反射体側の各枠部分により見えにくくすることができる。また、空気流通用スリット部を通して室内空気を天井裏スペース側に吸込むことができるので、空調用吸込口装置を別途システム天井に設ける必要がない。このために、このシステム天井の施工工事が簡単になり、コスト低減を図ることができる。
【００１０】
請求項２の発明は、点灯装置を収容する放熱スリットを備えたケーシングを、その放熱スリットに、空気流通用スリット部を通る空気が通風するように配設していることを特徴とする請求項１記載の照明器具である。
【００１１】
この発明によれば、請求項１記載の発明の作用効果に加えて、点灯装置のケーシングの放熱用スリットに、空気流通用スリットを通る空気が通風するので、点灯装置の放熱効率を向上させることができる。
【００１２】
請求項３の発明は、器具本体は、その天井側に、空調設備の吹出ダクトを取付けるための取付手段を備えていることを特徴とする請求項１または２記載の照明器具である。
【００１３】
この発明によれば、請求項１または２に記載の発明の作用効果に加えて、空調設備の吹出ダクトを器具本体の取付手段により容易かつ確実に固定することができる。
【００１４】
請求項４の発明は、ランプが着脱自在に装着されて電気的に接続されるランプソケットを予め点灯装置に電気的に接続している配線を、その配線方向を案内する一方器具本体に取付けられるガイド板に予め固定してなるランプソケットモジュール板を具備していることを特徴とする請求項１ないし３のいずれか一に記載の照明器具である。
【００１５】
この発明によれば、請求項１ないし３のいずれか一に記載の発明の作用効果に加えて、ランプソケットと点灯装置とを予め接続した配線を予めガイド板に取付けておいてモジュール化（複合部品化）したランプソケットモジュールを備えているので、このランプソケットモジュールを器具本体に取付ける一工程によりランプソケットと点灯装置とを天井裏で接続し配線する工程を省略することができ、これら配線の接続と配線作業の作業性を向上させることができる。
【００１６】
請求項５の発明は、ランプを軸方向と径方向で覆い、その軸方向に沿う幅方向両端部を、ランプに近接して最も高輝度となる反射面の高輝度部と、ランプからの光が照射される器具本体の開口枠の隅を結ぶ線と水平線とでなす角度を越える位置まで延在させる大きさに形成される制光体を具備していることを特徴とする請求項１ないし４のいずれか一に記載の照明器具である。
【００１７】
この発明によれば、請求項１ないし４のいずれか一に記載の発明の作用効果に加えて、ランプに近接対向してグレアを生ずる反射面の高輝度部と器具本体の開口枠の隅とを結ぶ線と水平線とでなす角度を超える位置まで制光体の幅方向端部が延在しているので、この制光体により反射面の高輝度部を十分に覆うことができる。このために、グレアを防止ないし低減することができる。
【００１８】
請求項６の発明は、制光体は、その幅方向一端部における軸方向両側端に、一対の端板の対向面にそれぞれ突設された係止ピンにそれぞれ揺動自在かつ着脱自在に係合する係合凹部を形成する一方、幅方向他端部における軸方向両側端に、一対の端板の対向面にそれぞれ形成された係合凹部に出入自在に挿入されるスピンドルおよびこのスピンドルの出入位置を係脱自在に保持するホルダーを備えたラッチ機構をそれぞれ設けていることを特徴とする請求項１ないし５のいずれか一に記載の照明器具である。
【００１９】
この発明によれば、請求項１ないし５のいずれか一に記載の発明の作用効果に加えて、制光体をランプの上方または下方で開き、ランプを器具本体から取り外すことにより、ランプを器具本体から容易に取り外すことができる。
【００２０】
請求項７の発明は、天井側に配設されて頭部とこの頭部よりも細い首部とを備えた器具取付部材に係脱自在に係止される係止金具を具備し、この係止金具は、器具本体の側壁外面に固着されて器具取付部材の頭部を出入自在に挿入させる挿入部を有し、この挿入部は、器具取付部材の頭部を出入させる開口端部と、この挿入部内に挿入された器具取付部材の頭部頂面に当接して照明器具の荷重を器具取付部材に負荷させる当接部と、器具本体の側壁外面と対向する上記器具取付部材の内側面と反対側の外側面を覆う側面部と、挿入部の開口端部にて器具取付部材の首部側へ湾出するように器具本体の外側壁に突設された円弧状突部と対向する位置にて、挿入部内方へ折曲されてこの開口端部を狭くする折曲端部と、を備えていることを特徴とする請求項１ないし６のいずれか一に記載の照明器具である。
【００２１】
この発明によれば、請求項１ないし６のいずれか一に記載の発明の作用効果に加えて、係止金具の当接部により照明器具の荷重を器具取付部材に負荷させるので、この照明器具の荷重を器具取付部材により支持することができる。また、係止金具の側面部により器具取付部材の外側面を覆っているので、照明器具が横方向へ外れるのを防止することができる。
【００２２】
さらに、係止金具の開口端部の折曲端部と円弧状突部とにより開口端部の開口幅を縮小しているので、一旦挿入部内に挿入された器具取付部材の頭部がこの挿入部から外れるのを防止することができる。さらにまた、円弧状突部が器具取付部材の首部にて、その内側へ円弧状に湾出しているので、器具取付部材の頭部が挿入部から外れるのを防止することができる。
【００２３】
請求項８の発明は、天井側に配設される器具取付部材と；反射面および背面を有する反射体本体、反射体本体の端部に形成されてなり枠の−辺を構成し得る枠部分および枠部分に対向するとともに反射体本体の背面側に形成される空気流通用スリット部を有し、前記スリット部が下方側から見えにくくなるように前記枠部分が前記器具取付部材に対向されてなる反射体；前記反射体の枠部分とともに枠を構成する枠部分および枠部分に対向して構成される空気流通用スリット部を有し、反射体側部方向に配設された一対の端板を有してなり、前記スリット部が下方側から見えにくくなるように前記枠部分が前記器具取付部材に載置されてなる器具本体と；反射体に光学的に対向して配設されるランプと；天井側に配設され、ランプを点灯する点灯装置と；を具備していることを特徴とするシステム天井である。
【００２４】
この発明によれば、請求項１記載の照明器具を具備しているので、請求項１の発明とほぼ同様の作用効果を奏することができる。
【００２５】
【発明の実施の形態】
以下、本発明の実施形態を図１〜図１３に基づいて説明する。なお、これらの図中、同一または相当部分には同一符号を付している。
【００２６】
図１は本発明の第１の実施形態に係る照明器具１を、格子状に組付けられた器具取付部材の一例である４本のＴバー２，２により形成された矩形の取付空間内に配置して各Ｔバー２の各辺縁上に載置固定した状態の仰視図であり、図２はこの図１のＴバーを削除したときの照明器具１のみの正面図、図３は照明器具１の底面図である。
【００２７】
これらの図に示すように、各Ｔバー２は断面形状が例えばほぼＴ状をなし、図示しない天井下地である天井スラブに吊りボルト等により吊設されて図示しない複数の矩形の取付空間を形成し、各取付空間内には図示しない天井板や空調設備、照明器具１などを配置して各Ｔバー２の各辺縁上に落し込み固定することにより、空調設備や照明器具１、天井板等を固定し、これら空調設備や照明器具を、その下面が天井板とほぼ面一になるように埋設してシステム天井を構成するようになっている。
【００２８】
図１、図２に示すように照明器具１は、器具本体３に円弧状に湾曲した反射体である反射板４を配設している。器具本体３はその図１中左右方向に所定の間隔を置いて一対の端板３ａ，３ｂを対向配置し、これら端板３ａ，３ｂは例えば金属製横長平板の図１中下端部を除く、上端部と左右両端部とをそれぞれ内方（対向側）へほぼ直角に折曲する一方、図１中下端部の長手方向中間部を図２、図３に示すように水平方向外方にほぼ直角にそれぞれ所定長折曲して両者がほぼ面一の枠部分３ａ１，３ｂ２をそれぞれ形成している。さらに、これら一対の端板３ａ，３ｂどうし間には反射板４を介在させてこれら端板３ａ，３ｂどうしを連結し、この反射板４の天井スラブＳ側の上面がいわば器具本体３の上蓋を形成する一方、反射板４の幅方向両側部（図１では左右両側部）が器具本体３の両側面部を形成している。
【００２９】
すなわち、反射板４は、その軸方向両端（図１では上下端）を器具本体３の一対の端板３ａ，３ｂの内面に当接させた状態で固定し、天井スラブＳに対向する図示しない室内床面側の底面側を開口させている。
【００３０】
また、反射板４は、その凹弧状内面を例えば白色等の反射面４ａに形成する一方、幅方向両端部を、各端板３ａ，３ｂの開口側の枠部分３ａ１，３ｂ１にほぼ面一になるように水平方向内方にほぼ直角に所定長折曲して枠部分４ｂ，４ｃをそれぞれ形成し、これら各枠部分３ａ１，３ｂ１，４ｂ，４ｃにより器具本体３の１つの矩形の開口枠３ｅを形成している。
【００３１】
そして、図３と図４に示すように各枠部分３ａ１，３ｂ１，４ｂ，４ｃの背面側（天井スラブＳ側）には、各枠部分３ａ１，３ｂ１，４ｂ，４ｃにほぼ平行の細長い気流通用スリット５ａ，５ｂ，５ｃ，５ｄをそれぞれ形成している。各空気流通用スリット５ａ〜５ｄは、まず、各端板３ａ，３ｂと反射板４の各枠部分３ａ１，３ｂ１，４ｂ，４ｃの各外端部を図２，図４，図７に示すように図中上方（天井スラブＳ側）へほぼ直角に折曲して終端させる。次に、これら各枠部分３ａ１，３ｂ１，４ｂ，４ｃの背面側（図２，図４，図７では上側）へ所定間隔を置いて断面形状がほぼＬ字状の目隠し板６をそれぞれ配設している。一対の端板３ａ，３ｂの外側方に配設される図３中左右一対の目隠し板６は、一対の端板３ａ，３ｂの外側面に固着される一方、反射板４の枠部分４ｂ，４ｃの外側方に配設される目隠し板６は、その長手方向両端が一対の端板３ａ，３ｂの図３中上下両端部内面に固着される。
【００３２】
すなわち、図４に示すように各目隠し板６はそのＬ字垂直部６ａを一対の端板３ａ，３ｂの外面下部に固着する一方、各Ｌ字水平部６ｂの各枠部分３ａ１〜４ｃの直上に、対応する内端部にて、その板厚方向に貫通する平面形状が細長矩形の開口である空気流通用スリット５ａ〜５ｄを各枠部分３ａ１〜４ｃにほぼ平行に並設している。また、Ｌ字水平部６ｂの幅方向外端部は各枠部分３ａ１〜４ｃの鉤状先端部３ａ２，３ｂ２，４ｂ１，４ｂ２よりも水平方向外方へ延出してから下方（床面側）へほぼ直角に折曲して、下向き開口の鉤状先端部６ｃをそれぞれ形成し、これら各鉤状先端部６ｃと各枠部分３ａ１〜４ｃの垂直部３ａ２，３ｂ２，４ｂ１，４ｂ２上端と幅方向に所定の間隙をおいて対向配置し、その間隙を下開口６にそれぞれ形成している。これにより、各下面開口６ｄが各枠部分３ａ１〜４ｃの外側にそれぞれ配設される。しかも、図４に示すようにこれら各下面開口６と空気流通用スリット５ａ〜５ｄとを連通させて天井スラブＳ側空間に連通させる吸込通風路６ｅをそれぞれ形成すると共に、この吸込口通風路６ｅをほぼ直角に曲げる屈曲部を形成している。したがって、床面上からこの照明器具１の各下面開口６ｄを見上げた時に、各吸込口通風路６ａの屈曲部の底部をなす目隠し板６の一部が見えるだけであるので、各下面開口６ｅと各空気流通用スリット５ａ〜５ｄを通して天井スラブＳ側の暗い空間が黒く見えるのを防止することができるので、外観上の美観を向上させることができる。
【００３３】
また、図５に示すように器具本体３の一対の端板３ａ，３ｂの一方、例えば３ａの長手方向中間部の内面に、例えば２個のソケット８ａ，８ｂを端板３ａの長手方向に並べて装着している。これらソケット８ａ，８ｂには例えばＵ字形状の２本のツインコンパクト形蛍光ランプ９ａ，９ｂの口金が着脱自在に装着されて電気的に接続され、反射板４の凹弧状反射面４ａの幅方向ほぼ中間部にて軸方向にほぼ平行に配置されるようになっている。なお、これらソケット８ａ，８ｂは１台以上であればよく、蛍光ランプ９ａ，９ｂも１本以上であればよく、形状も直管形でもその他の形状のものでもよい。
【００３４】
また、他方の端板３ｂの長手方向（図５では上下方向）ほぼ中間部の内面にランプホルダ１０を取付けており、このランプホルダ１０により各蛍光ランプ９ａ，９ｂの自由端部に着脱自在に装着されてこれを支持するようになっている。
【００３５】
そして図３、図５に示すように一対の端板３ａ，３ｂの図３中上下両端部には、器具本体３が格子状に組み付けられたＴバー２の各内縁部上に落し込まれたときに、これらＴバー２の上部に係脱自在に係合される鉤状の係止金具１１，１１，１１，１１を、その鉤状開口を床面側に向けた状態で固着している。なお、図１中、符号７は一対の端板３ａ，３ｂの長手方向両端部間に横架されるＬ字状の取付板であり、そのＬ字水平部の内面に点灯装置７ａが取付けられる。点灯装置７ａは蛍光ランプ９ａ，９ｂを点，消灯させるものであり、図示しない複数の放熱スリットを穿設したケーシング内にインバータ等を収容しており、この放熱スリットが空気流通用スリット５ａ〜５ｄの少なくともいずれかの通風路６ｅの途中または出口を臨む位置に設置される。
【００３６】
また、図３，図６に示すように蛍光ランプ９ａ，９ｂの反射板４の反対側を覆う制光体である円弧状のパンチングメタル１２を一対の端板３ａ，４ｂ間に開閉自在かつ着脱自在に設けている。
【００３７】
パンチングメタル１２は、円弧板状の本体１２ａの各外縁部以外の箇所に、板厚方向に貫通する多数の小孔１２ｂを穿設しており、図５，図７に示すようにパンチングメタル１２の幅方向一端部における長手方向両端部には、各端板３ａ，３ｂの内面に内方へ突出するようにそれぞれほぼ直角に突設された一対の係止ピン１４，１４に開閉自在かつ着脱自在に係合する係合凹部１５，１５をそれぞれ形成する一方、その幅方向他端部における軸方向面端部にはラッチ機構１６を設けている。
【００３８】
ラッチ機構１６は、一方の端板３ａの内面に形成された図示しない凹部に係脱自在に挿脱されるスピンドル１６ａと、このストピンドル１６ａを軸方向に進退自在かつその進退位置を係止自在に保持させる図示しないホルダと、スピンドル１６ａに垂直方向に植設されたピン状のつまみ１６ｂとを具備している。なお、図５中符号１３は、図示しないＡＣ電源コードやアース線等が接続されるソケット端子台であり、器具本体３の一方の側板３ｄに埋設される。このソケット端子台１３の内面側は図示しない配線により点灯装置に電気的に接続される。また、図７中符号１７は反射板１４の軸方向両端を各端板３ａ，３ｂに固着するためのＬ形片である。
【００３９】
したがって、この照明器具１によれば、その器具本体３を、複数のＴバー２の組付けにより格子状に形成された複数の矩形状の取付空間のうち、所定の取付空間内に落し込むと、器具本体２の各係止金具１１が各Ｔバー２上部に係合して固定される。したがって、天井スラブＳに複数のＴバー２を吊りボルト等により吊設し、これらＴバー２に天井板を張設して天井裏スペースを閉塞する前に、Ｔバー２上に器具本体３を載置固定できるので、器具本体３のＴバー２上への据付作業と配線作業の作業性を向上させることができる。
【００４０】
そして、蛍光ランプ９ａ，９ｂからの直接光の一部は円弧板状の反射板４により反射されて反射光として底面開口枠３ｅから室内へ照射される一方、直接光の他の一部はパンチングメタル１２の多数の小孔を通る際に拡散されて柔らかい直接光として室内へ照射される。
【００４１】
また、天井スラブＳ側の天井裏スペースは図示しない空調設備により負圧状態にあるので、照明器具１の下方の室内空気が照射器具１の各下面開口６ｄから吸い込まれて通風路６ｅ、各空気流通用スリット５ａ〜５ｄを経て天井裏スペースへ通風され、空調設備に吸い込まれる。
【００４２】
したがって、照明器具１の空気流通用スリット５ａ〜５ｄと別途に空調用吸込口装置を天井に配設する必要がないので、天井施工工事の作業性の向上を図ることができる。また、照明器具１の空気流通用スリット５ａ〜５ｄの通風路６ｅを通る通風が点灯装置７のケーシングの放熱用スリットに通風するように点灯装置７を配置しているので、この点灯装置７を適度に冷却することができる。さらに、器具本体３の空気流通風スリット５ａ〜５ｄを空気が通風するので、器具本体３自体を適度に冷却することができる。このために、この器具本体３内に配設される蛍光ランプ９ａ，９ｂを適度に冷却することができるので、その過熱による発光効率の低下を防止することができる。
【００４３】
さらに、各枠部分３ａ１〜４ｄの直上に各空気流通用スリット５ａ〜５ｄを配設したので、照明器具１を下から見上げたときに、各空気流通用スリット５ａ〜５ｄを通して暗い天井裏スペースの一部が黒く見えるのを遮蔽して外観上の美観の向上を図ることができる。
【００４４】
また、パンチングメタル１２を器具本体３に開閉自在かつ着脱自在に設けているので、このパンチングメタル１２を開放または取り外すことにより、蛍光ランプ９ａ，９ｂのソケット８ａ，８ｂからの取外し、または取付を簡単かつ迅速に行なうことができる。
【００４５】
図８は本発明の第２の実施形態に係る照明器具１Ａを、格子状に組み付けられた複数のＴバー２上に配置した状態の仰視図、図９はこのＴバー２を削除した照明器具１Ａの正面図、図１０は同底面図である。
【００４６】
これらの図に示すように照明器具１Ａは、上記照明器具１の２本の蛍光ランプ９ａ，９ｂ同士を一対の端板３ａ，３ｂの各長手方向両端部側へ離間させて配置すると共に、２つの円弧状反射板４ｄ，４ｅを離間配置し、これら両反射板４ｄ，４ｅ間の間に所定大の矩形の空調用吹出口２１を反射板４ｄ，４ｅの軸方向ほぼ全長に亘って形成した点に主な特徴を有する。
【００４７】
すなわち、図１１，図１２にも示すように一対の端板３ａ，３ｂの長手方向両端部間に、図８中左右一対の円弧状の反射板４ｄ，４ｅを軸方向に配置固定する一方、一方の端板３ａの長手方向両端部の内面に、一対のソケット８ａ，８ｂをそれぞれ離間させて配設し、これらソケット８ａ，８ｂに装着される蛍光ランプ９ａ，９ｂが各反射板４ｄ，４ｅの幅方向ほぼ中間部、つまり凹弧面の内底部下に位置させるようになっている。また、これら蛍光ランプ９ａ，９ｂをそれぞれ覆う円弧状のパンチングメタル１２ｃ，１２ｄが器具本体３に着脱自在に取り付けられる。すなわち、各パンチングメタル１２ｃ，１２ｄは、上記パンチングメタル１２と同様に凹弧状内面を白色等の反射面１２ａに形成する一方、図１０に示すように各パンチングメタル１２ｃ，１２ｄの軸方向両端部に化粧止めねじ２２，２２のねじ軸部を挿通せしめる挿通孔を形成している。一方、図１１に示すように、左右一対の端板３ａ，３ｂの各長手方向両端部の内面には図１１中左右一対の取付耳２３を固着し、これら取付耳２３のねじ孔２３ａに化粧止めねじ２２のねじ軸部をそれぞれねじ止めることにより各パンチングメタル１２ｂ，１２ｃを器具本体３に着脱自在に装着するようになっている。
【００４８】
さらに、各反射板４ｂ，４ｃの内底部上には、蛍光ランプ９ａ，９ｂのＵ字状先端部を着脱自在に保持するランプホルダ２４がそれぞれ配設されている。
【００４９】
そして、図８，図９等により示すように一対の端板３ａ，３ｂの長手方向一端部間の上面上には横方向に細長の角筒状の点灯装置用ケーシング２５を配設する一方、一方の端板、例えば３ａの上面上には、モジュール板２６を装着している。
【００５０】
点灯装置用ケーシング２５は蛍光ランプ９ａ，９ｂを点，消灯させる図示しないインバータ等を収容しており、このケーシング２５の底面等には図示しない放熱用のスリットを形成している。この点灯装置用ケーシング２５は、その放熱スリットに、上記吸込通風路６ｅを通る空気が通風する位置に配設されている。
【００５１】
一方、ランプソケットモジュール板２６は各ソケット８ａ，８ｂと点灯装置とを予め接続している図示しない配線を、その配線方向を案内する平板状のガイド板に予め取付けておくことによりモジュール（複合部品）化したものである。
【００５２】
図１２は、各パンチングメタル１２ｃ，１２ｄの幅方向両端部が図中一点鎖線で示す器具本体３の遮光角αを超える二点鎖線で示す角度βをさらに超える位置まで延在している状態を示している。
【００５３】
すなわち、角度βは、蛍光ランプ９ａ，９ｂに近接する反射板４ｄ，４ｅの反射面４ａが蛍光ランプ９ａ，９ｂに近接しているために最も高輝度になる２点の高輝度点と照明器具１Ａの各照射開口３ｅの隅とを結ぶ線と水平線とによりなす角度であって、グレアを発生させる領域を示している。
【００５４】
したがって、各パンチングメタル１２ｃ，１２ｄの幅方向両端部が角度βを超える位置まで延在しているので、反射板４ｄ，４ｅのグレア領域を十分に覆うことができる。このためにグレアを防止することができる。
【００５５】
図１３は上記照明器具１または１Ａの各係止金具１１に器具取付部材であるＴバー２を係止させた状態の部分拡大縦断面図である。この図１３に示すように各係止金具１１は、例えば金属製帯状板をクランク状に形成してなる金具本体１１ａの長手方向一端部に固着部１１ｂを形成する一方、その他端部に、Ｔバー２の頭部２ａを出入自在に挿入させる挿入部１１ｃを形成している。
【００５６】
Ｔバー２は例えば金属製平板を２枚に折り重ねて形成され、その折返し端部（図１３中上端部）にほぼ縦長角筒状の頭部２ａを形成する一方、その他端部に図中横長角筒状の底部２ｂを形成し、これら底部２ｂと頭部２ａとを、これらよりも細い首部をなす連接部２ｃにより一体に形成している。また、Ｔバー頭部２ａは、その図１３中下部のあご部２ａ１を、図中下方に向けて漸次縮径するテーパ面に形成している。
【００５７】
一方、係止金具１１の固着部１１ｂは、器具本体３の一端の端板３ａ，３ｂの長手方向両端部にて、これら端板３ａ，３ｂ同士の対向方向である内側へほぼ直角に折曲されて器具本体３の側壁の一部をなす側壁外面３ｆの下部に固着されるものであり、図示しない取付ねじを挿通させる取付項１１ｂ１を形成している。
【００５８】
そして、係止金具１１の挿入部１１ｃは、固着部１１ｂの図１３中下端部から外側方へほぼ垂直に立ち上がるように折曲されて、Ｔバー２の頭部２ａの頂面と当接して照明器具１，１Ａの荷重をＴバー２の頭部２ａに負荷させる当接部１１ｃ１と、この当接部１１ｃ１の外端から図１３中下方へ向けてほぼ直角に折曲されて側壁外面３ｆとほぼ平行に延伸してＴバー頭部２ａの外側面の外側を所定のクリアランスを置いて覆う側面部１１ｃ２と、この側面部１１ｃ２の図１３中下端部にてＴバー頭部２ａを出入自在に挿入させる開口端部１１ｃ３と、を一端に連成しており、この開口端部１１ｃ３はＴバー２側へ所定角度で折曲されている。
【００５９】
この開口端部１１ｃ３に対向する側壁外面３ｆには、Ｔバー頭部２ａのテーパ状のあご部２ａ１の若干下方にて円弧状に湾出する円弧状突部３ｆ１が切り起こし等により突設されている。
【００６０】
次に、このように構成された各係止金具１１によりＴバー２に係止させる方法の一例を説明する。
【００６１】
まず、例えば格子状等に組み付けられた各Ｔバー２の頭部２ａ上方に、各係止金具１１の開口端部１１ｃ３の開口が位置するように位置合せしてから、照明器具１または１Ａを各Ｔバー２上に落し込む。
【００６２】
すると、照明器具１または１Ａの自重により、Ｔバー２の頭部２ａが各係止金具１１の開口端部１１ｃ３の開口から挿入部１１ｃ内に挿入されるが、その挿入の際、各Ｔバー頭部２ａは開口端部１１ｃ３の折曲端部と円弧状突部３ｆ１とより両側から挟まれて若干弾性変形して挿入され、挿入部１１ｃの当接部１１ｃ１の内面にＴバー頭部２ａの頂面に当接する。
【００６３】
このとき、Ｔバー２の底部２ｂの肩部が一対の端板３ａ，３ｂの図１３中下端面に当接して、その荷重を支持するようになっている。
【００６４】
各係止金具１１はこのように構成されているので、Ｔバー２の頭部２ａと底部２ｂの肩部とにより照明器具１または１Ａの荷重を支持することができる。また、各係止金具１１の側面部１１ｃ２によりＴバー頭部２ａの外側面を覆っているので、照明器具１，１Ａが横方向へ外れるのを防止することができるとともに、その側面部１１ｃ２とＴバー頭部２ａ外側面との間にクリアランスを設けているので、Ｔバー頭部２ａの挿入部２ｃへの挿入を容易に行なうことができる。
【００６５】
さらに、各係止金具１１の開口端部１１ｃ３の折曲端部と円弧状突部３ｆ１とにより開口端部１１ｃ３の開口幅を縮小しているので、一旦挿入部２ｃ内に挿入されたＴバー２ａがこの挿入部２ｃの開口から図１３中上下方向に外れるのを防止することができる。さらにまた、円弧状突部３ｆ１がＴバー頭部２ａのあご部２ａ１の若干下方にて、そのあご部２ａ１側へ円弧状に湾出しているので、Ｔバー頭部２ａが挿入部１１ｃから外れるのを防止することができる一方、あご部２ａ１が円弧状突部３ｆ１の円弧面に対応するテーパ面に形成されているので、照明器具１，１Ａを図１３中上方へ強く引き上げることにより、照明器具１，１ＡをＴバー２から強制的に取り外すこともできる。
【００６６】
そして、図１４にも示すように空調用吹出口２１の長手方向中間部には平面形状が矩形の空調用吹出口装置２７を取り付け、この空調用吹出口装置２７から空調用空気を吹き出すようになっている。この空調用吹出口装置２７の両側には空調用吹出口２１の他の部分を閉じる閉鎖板２８，２８をそれぞれ取り付けている。また、空調用吹出口２１の天井スラブＳ側端部には、この空調用吹出口２１に図示しない空調設備のフレキシブルダクト等のダクトの先端部を固定するための取付金具を設けている。このために、空調設備のフレキシブルダクト等のダクトを器具本体３の空調用吹出口２１の所定の取付箇所に容易かつ確実に取り付けることができ、別途取付具を用意する必要がない。
【００６７】
そして、この照明器具１Ａによれば、上記照明器具１とほぼ同様の作用効果を奏するうえに、空調用吹出口装置２７から図中白矢印で示すように空調空気を室内へ吹き出すことができる。一方、室内空気は器具本体３の各辺の各下面開口６ｄおよび空気流通用スリット５ａ〜５ｄから吸い込まれ空調設備に吸い込まれるので、室内を空調することがができる。
【００６８】
したがって、この照明器具１Ａによれば、空調空気吸込口装置と空調空気吹出口装置とをこの照明器具１Ａと別途設ける必要がないので、システム天井を形成する天井施工工事の作業性を向上させることができる。
【００６９】
【発明の効果】
以上説明したように本願の請求項１の発明は、照明器具の枠を、器具本体の枠部分と反射体の枠部分とにより形成し、反射体の一部を器具本体の枠の一部として兼用するので、その分器具本体の部品点数を削減することができる。このために、器具本体の小型軽量化を図ることができる。また、反射体の枠部分と器具本体の枠部分の背面側に空気流通用スリット部を形成しているので、照明器具を下方から見上げたときに、空気流通用スリット部を器具本体側と反射体側の各枠部分により見えにくくすることができる。また、空気流通用スリット部を通して室内空気を天井裏スペース側に吸込むことができるので、空調用吸込口装置を別途システム天井に設ける必要がない。このために、このシステム天井の施工工事が簡単になり、コスト低減を図ることができる。
【００７０】
本願の請求項２の発明によれば、請求項１記載の発明の作用効果に加えて、点灯装置のケーシングの放熱用スリットに、空気流通用スリットを通る空気が通風するので、点灯装置の放熱効率を向上させることができる。
【００７１】
本願の請求項３の発明によれば、請求項１または２に記載の発明の作用効果に加えて、空調設備の吹出ダクトを器具本体の取付手段により容易かつ確実に固定することができる。
【００７２】
本願の請求項４の発明によれば、請求項１ないし３のいずれか一に記載の発明の作用効果に加えて、ランプソケットと点灯装置とを予め接続した配線を予めガイド板に取付けておいてモジュール化（複合部品化）したランプソケットモジュールを備えているので、このランプソケットモジュールを器具本体に取付ける一工程によりランプソケットと点灯装置とを天井裏で接続し配線する工程を省略することができ、これら配線の接続と配線作業の作業性を向上させることができる。
【００７３】
本願の請求項５の発明によれば、請求項１ないし４のいずれか一に記載の発明の作用効果に加えて、ランプに近接対向してグレアを生ずる反射面の高輝度部と器具本体の開口枠の隅とを結ぶ線と水平線とでなす角度を超える位置まで制光体の幅方向端部が延在しているので、この制光体により反射面の高輝度部を十分に覆うことができる。このために、グレアを防止ないし低減することができる。
【００７４】
本願の請求項６の発明によれば、この発明によれば、請求項１ないし５のいずれか一に記載の発明の作用効果に加えて制光体をランプの上方または下方で開き、ランプを器具本体から取り外すことにより、ランプを器具本体から容易に取り外すことができる。
【００７５】
本願の請求項７の発明によれば、請求項１ないし６のいずれか一に記載の発明の作用効果に加えて、係止金具の当接部により照明器具の荷重を器具取付部材に負荷させるので、この照明器具の荷重を器具取付部材により支持することができる。また、係止金具の側面部により器具取付部材の外側面を覆っているので、照明器具が横方向へ外れるのを防止することができる。
【００７６】
さらに、係止金具の開口端部の折曲端部と円弧状突部とにより開口端部の開口幅を縮小しているので、一旦挿入部内に挿入された器具取付部材の頭部がこの挿入部から外れるのを防止することができる。さらにまた、円弧状突部が器具取付部材の首部にて、その内側へ円弧状に湾出しているので、器具取付部材の頭部が挿入部から外れるのを防止することができる。
【００７７】
本願の請求項８の発明によれば、請求項１記載の照明器具を具備しているので、請求項１の発明とほぼ同様の作用効果を奏することができる。
【図面の簡単な説明】
【図１】本発明の第１の実施形態に係る照明器具をＴバー上に据え付けた状態の仰視図。
【図２】図１で示す照明器具の正面図。
【図３】図１で示す照明器具の底面図。
【図４】図３のＩＶ−ＩＶ線縦断面図。
【図５】図３のパンチングメタルを取り外した状態の底面図。
【図６】図３の照明器具の側面図。
【図７】内部機構を省略した図２のＶＩＩ−ＶＩＩ線断面図。
【図８】本発明の第２の実施形態に係る照明器具をＴバー上に据え付けた状態の仰視図。
【図９】図８で示す照明器具の正面図。
【図１０】図８で示す照明器具の底面図。
【図１１】図１０のパンチングメタルを取り外した状態の部分拡大底面図。
【図１２】図９のＸＩＩ−ＸＩＩ線断面図。
【図１３】本実施形態に係る照明器具の各係止部とＴバーとの係止状態の部分拡大縦断面図。
【図１４】図８等で示す照明器具の作用を示す仰視図。
【符号の説明】
１，１Ａ  照明器具
２  Ｔバー
３  器具本体
３ａ，３ｂ  一対の端板
３ａ１，３ｂ１  一対の端板の枠部分
３ｅ  底面開口
４，４ｄ，４ｅ  反射板
４ａ  反射面
４ｂ，４ｃ  反射板の枠部分
５ａ，５ｂ，５ｃ，５ｄ  空気流通用スリット
６ｄ  下面開口
７ａ  点灯装置
８ａ，８ｂ  ソケット
９ａ，９ｂ  蛍光ランプ
１０  ランプホルダ
１１  係止金具
１１ａ  係止金具の金具本体
１１ｂ  係止金具の固着部
１１ｃ  係止金具の挿入部
１１ｃ１  係止金具の挿入部の当接部
１１ｃ２  係止金具の挿入部の側面部
１１ｃ３  係止金具の挿入部の開口端部
１２，１２ｃ，１２ｄ  パンチングメタル
１２ｂ  小孔
１３  ソケット端子台
１４  係止ピン
１５  係合凹部
１６  ラッチ機構
２１  空調用吹出口
２５  点灯装置のケーシング
２６  モジュール板
２７  空調用吹出口装置
２８  閉鎖板
【図１】
0003996302.tif 000002
【図２】
0003996302.tif 000003
【図３】
0003996302.tif 000004
【図４】
0003996302.tif 000005
【図５】
0003996302.tif 000006
【図６】
0003996302.tif 000007
【図７】
0003996302.tif 000008
【図８】
0003996302.tif 000009
【図９】
0003996302.tif 000010
【図１０】
0003996302.tif 000011
【図１１】
0003996302.tif 000012
【図１２】
0003996302.tif 000013
【図１３】
0003996302.tif 000014
【図１４】
0003996302.tif 000015